(57)【要約】【課題】網戸の網面などの汚れを清掃するとき、大きい力を必要とせずに網面の上をスムーズに移動し擦ることができる清掃用具。【解決手段】ローラーの湾曲した面に取り付けられた柔軟性と、保水性を有するクッション部材、その外面に取り付けられた網面清掃部材、単方向回転制御用部材などによって形成された単方向回転ローラー式清掃用具である。握持部のハンドルを持ってローラーの方にローリングするとクッション中に含まれる洗浄液が清掃部材を介して被清掃面に塗布することができ、次にハンドルを引く方向に移動すると単方向回転制御部材によってローラーがとまった状態で移動する（擦る）。ローラーの清掃作業面と被清掃面の接触が一直線になるため接する力は面積が小さいほど大きくなり、ローラーの重さほどの押す力で大きな擦る力が得られる。【選択図】図１
2008104493.tif 000002
【特許請求の範囲】
【請求項１】
ローラーの一端に設けた単方向回転制御室と単方向回転制御用ローラー回転側スプリング状部材と軸側固定台座状部材また握持部を有する単方向回転ローラー式清掃用具。
【請求項２】
ローラーの表面に柔軟性と保水性を有したクッション素材で外面清掃部材を覆う請求項１に記載の清掃用具。
【請求項３】
単方向ローラーのローリング方向を識別できるハンドルを装着することを特徴とした請求項１および２に記載の清掃用具。
【請求項４】
軸の一端のネジを用いてローラーを留めるかたちで清掃用ローラーを取替えることができる請求項１、２および３に記載の清掃用具。
【請求項５】
ローラーが板の上に単方向ローリングすることによって、クッションが含んだ水または洗浄液を吸ったり出したりできる請求項１、２、３および４に記載の清掃用具。
【請求項６】
回転制御部材用室の内壁は、回転制御部材の周りとの間に大きく開けて、汚れた水またはゴミなどが回転部材の隙間に入っても取れる回転制御部材が正常な状態を保つことができ、また使用後も清潔に保つことができる請求項１、２、３、４および５に記載の清掃用具。
【発明の詳細な説明】
【技術分野】
【０００１】
本発明は網戸用清掃用具に関するものである。
【背景技術】
【０００２】
網戸を清掃するときは、タオルまたはスポンジを手で持って水または洗剤を使って清掃することが一般的である。公報の先行技術の中において、網戸を外したりつけたりする必要のない、水と洗浄液を使って清掃する、例えば網戸清掃用具やローラー型清掃用具の回転制御器を有する清掃用具（下記先行技術文献参照）がある。
【０００３】
しかしながら、タオルまたはスポンジを手で持って、水と洗剤を使って網戸の網面の清掃をするときに力を加える加減を調節しながら清掃面上を移動させることは極めて難しい。力をかけすぎると網戸の面が変形してしまうからである。
【特許文献１】特開２００６−１８１１７０  清掃用具
【特許文献２】特開２００６−５５２４０  網戸用清掃用具
【特許文献３】特開２００３−４７７  網戸用清掃用具
【特許文献４】特開平１０−１７９５０１  清掃用具
【発明の開示】
【発明が解決しようとする課題】
【０００４】
網戸の網面などの汚れを清掃する際、大きな力を加えずに網面上を円滑に移動することができる清掃用具。
【課題を解決するための手段】
【０００５】
上記において複数の性能をもって、一つになった握持部を有し単方向回転ローラー式清掃用具である。単方向回転ローラー式清掃用具は、ローラーの湾曲した面に取り付けられた柔軟性と保湿性を有するクッション部材とその外面に取り付けられた網面清掃部材（パイル布など）と単方向回転制御用ロール回転側スプリング状部材と軸側固定台座状部材などによって形成されていることを特徴としている。
【発明の効果】
【０００６】
握持部のハンドルを持ってローラーの方向に移動するとローラーが被清掃面の上でローリングし、クッション中の洗浄液が清掃部材を介して被清掃面に塗布することができ、次にハンドルを引く方向に移動すると単方向回転制御部材によってローラーが止まった状態で移動するため、擦れた状態で清掃することができる。
【発明を実施するための最良の形態】
【０００７】
本発明の実施の形態について図面を参照しつつ説明する。
【０００８】
図１に示されているのは単方向回転式ローラーの全体図であり、図２はローラーの組立図である。図のようにアームD-cと握持部のハンドルD-dは一体となっている。またD-aの一端はネジD-eもう一端は回転制御用固定部材Cを軸D-a上に固定用ピンD-bを設け、回転固定部材の中孔C-aを軸D-aに通し、回転固定部材Cの軸D-aを固定部C-bと軸固定ピンD-bを組み合わせて固定する。
【０００９】
回転制御用回転部材Bは図のようにローラーAとの連接部B-aを有し、スプリング状回転部材を固定部材の外周部C-dで組み込む。またスプリング止めC-cに接触するまでにし、回転部材Bのスプリングの内径と固定部材外周C-dの寸法またスプリング材の直径および錆びにくい材質等の調節が好ましい。
【００１０】
図のようにローラーAのこしきA-cの一端は、回転制御部材用室A-bであり、軸D-aのいったんは回転制御部材をつけたまま、軸D-aのネジD-eの端を、ローラーAのこしきA-cの回転制御室A-ｃの端から通し、ローラーAと回転制御用部材連接用溝A-aと回転制御側のB-aとを合わせながら、回転制御部材は回転制御室A-bに完全に埋め込まれる（図３参照）。軸D-aのネジの端がローラーのこしきA-cの反対側にナットとローラーAを軸D-aの上に固定する。またローラーAのこしきA-cの両端にワッシャーをつけることにより（図参照）ローラーを軽い力で回転させることができる。
【００１１】
図３はローラーの長手方向断面図であり、図３−１は回転制御部材Cを図のようにローラーの一端に埋入する。図３−２はローラー止め用ネジがローラーの一端に埋入していることを表している（図参照）。回転制御部材Cとネジはローラーの両端からはみ出さないように示してある。
【００１２】
図４−１はローラーの横正面正視図であり、回転制御部材用室A-bの内壁は、回転制御部材Cの周りとの間に大きく開けて、水または洗浄液の中にローラーのクッションとその外面の清掃部材の表面の汚れを落とす際、汚れた水またはゴミなどが回転部材の隙間（スプリング状回転部材など）に入っても取れるよう回転制御部材が正常な状態を保つことができ、また使用後も清潔に保つことができる。
【００１３】
図４−２は回転制御、固定部材Cの横正面図であり、固定部材Cと軸D-aのピン部D-bとの連接部C-bは軸D-bと緊密な連接が好ましい。
【００１４】
図５は完成図の横正視図である。ローラーAの外面はクッションGで覆う。その外面は清掃部材Hを覆う。クッションの厚みと清掃部材Hの調節が好ましい。ハンドルD-dは握る方向が識別できるような型が好ましい。図５はローラーと網戸の網面または被清掃面Jとの接触面を示しているが、ハンドルが被清掃面と30度を保つ状態で矢印の方向に押して移動させると、ローラーが被清掃面上をローリングすることによってクッション中に含まれた洗浄液を被清掃面Jへ出し、被清掃面Jに延ばしていく。次にハンドルは前と同じように被清掃面Jと30度を保ったまま矢印と逆方向に移動させると、単方向回転制御部材の働きによりローラーが静止した状態で被清掃面を移動することになる（こすれた状態）。板の上でローラーを単方向回転させることで、クッション中に含まれる汚れを出すことができ、また水または洗浄液の量を調節することができる。そうすることによって清掃作業中クッションに含まれた余分な水の飛散を防ぎ、洗浄液を均一に塗布することができる。
【図面の簡単な説明】
【００１５】
【図１】全体完成図
【図２】組み立て図
【図３】ローラー長手方向断面
【図４】ローラー横正面図
【図５】全体完成図の横正面
【符号の説明】
【００１６】
Aローラー
A-a回転制御部材連接用溝
A-b回転制御部材室
A-cこしき
A-d止めネジ用室
B回転制御用回転部材
C回転制御用固定部材
C-b固定部材と軸側ピンとの連接部
D-a軸
D-bピン
D-cアーム
D-dハンドル
D-e止め用ネジ
Eワッシャー
F止め用めネジ
Gクッション
H清掃部材
J被清掃面
【図１】
2008104493.tif 000003
【図２】
2008104493.tif 000004
【図３】
2008104493.tif 000005
【図４】
2008104493.tif 000006
【図５】
2008104493.tif 000007